(57)【要約】【課題】通気孔を備えた画像センサーモジュールの提供。【解決手段】本考案は一種の通気孔を備えた画像センサーモジュールに関わる。センサーモジュールを基板に備える上表面と下表面５４を設ける。上表面に第１電極を設け、下表面５４に第２電極を設けて、第１電極と対応および連結する。チップを基板の上表面に設け、その上部に検出区域とボンディングパッドを設ける。複数本の導線をチップのボンディングパッドを介して、基板に備える第１電極と電気接続する。接着剤を基板の上表面に塗布し、レンズ台に通気孔を設ける。側壁と雌ネジ山を設け、レンズ台の側壁は接着剤により基板の上表面に接着する。レンズスリーブに備える雄ネジ山をレンズ台の雌ネジ山に締め付ける。シールボンドを通気孔に塞いでおき、微塵など汚染源の侵入を防止する。レンズ台の側壁を切り込み、レンズ台の基板に接着し、より小さいモジュールを仕上げる。【選択図】図２
0003123662.tif 000002
【実用新案登録請求の範囲】
【請求項１】
一種通気孔を備えた画像センサーモジュールであり、基板、チップ、複数本の導線、接着剤、レンズ台、レンズスリーブ及びシールボンドを含み、
基板に上表面と下表面を設け、上表面に第１電極を設け、下表面に第２電極を設けて、第１電極と対応および連結し、
チップは基板の上表面に設け、その上部に検出区域と複数のボンディングパッドを設け、
複数本の導線はチップのボンディングパッドを介して、基板に備える第１電極と電気接続し、
接着剤は基板の上表面に塗布し、
レンズ台に肩部、側壁と雌ネジ山を設け、レンズ台の側壁は接着剤により基板の上表面に接着し、その肩部に通気孔を貫通して設け、
レンズスリーブに備える雄ネジ山をレンズ台の雌ネジ山に締め付け、
シールボンドは通気孔を塞いでおくことを特徴とする通気孔を備えた画像センサーモジュール。
【請求項２】
請求項１記載の通気孔を備えた画像センサーモジュールにおいて、シールボンドはＵＶボンド(Ｅｐｏｘｙ)またはそのたシールボンド部材を使用することを特徴とする通気孔を備えた画像センサーモジュール。
【請求項３】
請求項１記載の通気孔を備えた画像センサーモジュールにおいて、レンズ台の側壁を切り込み、レンズ台の基板上に接着することを特徴とする通気孔を備えた画像センサーモジュール。
【考案の詳細な説明】
【技術分野】
【０００１】
本考案は一種の通気孔を備えた画像センサーモジュールとその製造方法、特に一種の画像センサーの生産工程における製品の収率と生産効率の向上に関わる。
【背景技術】
【０００２】
図１に示すものは、一種の画像センサーモジュール構造の断面図である。主に基板１０上に上表面１２と下表面１４を設け、上表面１２に第１電極１６を設け、下表面１４に第２電極１８を設けて、第１電極１６に対応および接続する。チップ２０は基板１０の上表面１２に設け、その上部にボンディングパッド２２を設ける。複数本導線２４はチップ２０のボンディングパッド２２を介して、基板１０に備える第１電極１６と接続する。接着剤２６を基板１０の上表面１２に塗布する。レンズ台２８に雌ネジ山３０を設け、接着剤２６により、基板１０の上表面１２に接着し、チップ２０を囲む。レンズスリーブ３２に雄ネジ山３４を設け、レンズ台２８の雌ネジ山３０に締め付ける。
【０００３】
しかしながら、前記した画像センサーモジュール構造の接着剤２６は焼き付け工程に大量な揮発性ガスを放出するため、レンズ台２８内部の密閉空間は受熱の膨張効果により内圧を発生し、精確に合せて仮付けいたレンズ台２８が所定位置を離れて、レンズ２８とセンサーセンサーの照準効果を失い、画像品質は期待に添えない。
【考案の開示】
【考案が解決しようとする課題】
【０００４】
本考案の主な目的は、一種の通気孔を備えた画像センサーモジュールの提供をする、製品の収率を向上し、より実用的な目的を実現する。
【０００５】
本考案のさらに一つの目的は、一種の通気孔を備えた画像センサーモジュールの提供をする、製造便利、かつ、生産効率を向上し、より実用的な目的を実現する。
【０００６】
本考案は主に基板の上に表面と下表面を設け、上表面に第１電極を設けて、下表面に第２電極を設けて、第１電極と対応および連結する。チップを基板の上表面に設け、その上部に検出区域とボンディングパッドを設ける。複数本の導線をチップのボンディングパッドを介して、基板に備える第１電極と電気接続する。接着剤を基板の上表面に塗布し、レンズ台に通気孔を設ける。レンズスリーブに通気孔を設け、側壁と雌ネジ山を設ける。レンズ台の側壁は接着剤により、基板の上表面に接着する。レンズスリーブに雄ネジ山を設け、レンズ台の雌ネジ山に締め付ける。シールボンドを通気孔に塞いでおき、微塵などの汚染源がレンズ台への侵入を防止する。
【課題を解決するための手段】
【０００７】
請求項１の考案は、一種通気孔を備えた画像センサーモジュールであり、基板、チップ、複数本の導線、接着剤、レンズ台、レンズスリーブ及びシールボンドを含み、
基板に上表面と下表面を設け、上表面に第１電極を設け、下表面に第２電極を設けて、第１電極と対応および連結し、
チップは基板の上表面に設け、その上部に検出区域と複数のボンディングパッドを設け、
複数本の導線はチップのボンディングパッドを介して、基板に備える第１電極と電気接続し、
接着剤は基板の上表面に塗布し、
レンズ台に肩部、側壁と雌ネジ山を設け、レンズ台の側壁は接着剤により基板の上表面に接着し、その肩部に通気孔を貫通して設け、
レンズスリーブに備える雄ネジ山をレンズ台の雌ネジ山に締め付け、
シールボンドは通気孔を塞いでおくことを特徴とする通気孔を備えた画像センサーモジュールとしている。
請求項２の考案は、請求項１記載の通気孔を備えた画像センサーモジュールにおいて、シールボンドはＵＶボンド(Ｅｐｏｘｙ)またはそのたシールボンド部材を使用することを特徴とする通気孔を備えた画像センサーモジュールとしている。
請求項３の考案は、請求項１記載の通気孔を備えた画像センサーモジュールにおいて、レンズ台の側壁を切り込み、レンズ台の基板上に接着することを特徴とする通気孔を備えた画像センサーモジュールとしている。
【考案の効果】
【０００８】
本考案は、以下の長所を有する。
１．レンズ台の側壁を切り落とすことにより、モジュール面積をより小さくできるほか、一致した製品寸法が得られる。
２．肩部を貫通して設ける通気孔は焼き付け工程における、接着剤から発生する揮発性ガスを効率よく放出させ、レンズ台内外の圧力バランスを維持し、過大内圧によるレンズ台の偏りで焦点ずれを発生し、画像品質への影響を防止できる。
【考案を実施するための最良の形態】
【０００９】
図２に示すものは、本考案の通気孔を備えた画像センサーモジュールの表示図である。主に基板４０、チップ４２、複数本導線４４、接着剤４６、レンズ台４８、レンズスリーブ５０とシールボンド５１より構成する。
【００１０】
基板４０に上表面５２と下表面５４を設け、上表面５４に第１電極５６を設け、下表面５４に第２電極５８を設けて、第１電極と対応および連結する。
【００１１】
チップ４２を基板４０の上表面５２に設け、その上部に検出区域６０とボンディングパッド６２を設ける。
【００１２】
複数本導線４４をチップ４２のボンディングパッド６２を介して、基板４０に備える第１電極５６に接続する。
【００１３】
接着剤４６を基板４０の上表面５２に備える第１電極５６の周辺に接着する。
【００１４】
レンズ台４８に側壁６３、通気孔６５、シールボンド５１、肩部６７および雌ネジ山６９を設け、レンズ台４８の側壁６３は接着剤４６により、基板４０の上表面５２に接着する。通気孔６５は肩部６７を貫通して小さい気孔を設け、接着剤４６はレンズ台４８の焼き付け工程に大量な揮発性ガスを発生するため、レンズ台４８内部の検出区域６０内部の過大な内圧により、光学焦点がずれて、画像品質への影響を防止する。通気孔６５にシールボンド５１を充填して、通気孔６５を塞いでおき、焼き付け工程完了後レンズ台４８内部に微塵などの汚染源の侵入を防止する。
【００１５】
レンズスリーブ５０に雄ネジ山６６を設け、レンズ台４８の雌ネジ山６９に締め付ける。
【００１６】
図３に示すものは、本考案の通気孔を備えた画像センサーモジュール製造方法の表示図である。主に基板４０、チップ４２、複数本導線４４、接着剤４６、レンズ台４８、レンズスリーブ５０とシールボンド５１より構成する。
【００１７】
基板４０に上表面５２と下表面５４を設け、上表面５４に第１電極５６を設け、下表面５４に第２電極５８を設けて、第１電極と対応および連結する。
【００１８】
チップ４２を基板４０の上表面５２に設け、その上部に検出区域６０とボンディングパッド６２を設ける。
【００１９】
複数本導線４４をチップ４２のボンディングパッド６２を介して、基板４０に備える第１電極５６に接続する。
【００２０】
接着剤４６を基板４０の上表面５２に備える第１電極５６の周辺に接着する。
【００２１】
レンズ台４８に側壁６３、通気孔６５、シールボンド５１、肩部６７および雌ネジ山６９を設け、レンズ台４８の側壁６３は接着剤４６により、基板４０の上表面５２に接着する。通気孔６５は肩部６７を貫通して小さい気孔を設け、接着剤４６はレンズ台４８の焼き付け工程に大量な揮発性ガスを発生するため、レンズ台４８内部の検出区域６０内部の過大な内圧により、光学焦点がずれて、画像品質への影響を防止する。
【００２２】
レンズスリーブ５０に雄ネジ山６６を設け、レンズ台４８の雌ネジ山６９に締め付ける。
【００２３】
シールボンド５１は通気孔６５を塞いでおき、焼き付け工程完了後レンズ台４８内部に微塵などの汚染源の侵入を防止する。
【００２４】
レンズ台４８の側壁６３を切り込み、レンズ台４８の基板４０に接着し、より小さいモジュールを仕上げる。
【図面の簡単な説明】
【００２５】
【図１】公知技術の画像センサーモジュールの表示図である。
【図２】本考案の通気孔を備えた画像センサーモジュールの表示図である。
【図３】本考案の通気孔を備えた画像センサーモジュール製造方法の表示図である。
【符号の説明】
【００２６】
４０  基板
４２  チップ
４４  複数本導線
４６  接着剤
４８  レンズ台
５０  レンズスリーブ
５１  シールボンド
５２  上表面
５４  下表面
５６  第１電極
５８  第２電極
６０  検出区域
６２  ボンディングパッド
６３  側壁
６５  通気孔
６６  雄ネジ山
６７  肩部
６９  雌ねじ山
【図１】
0003123662.tif 000003
【図２】
0003123662.tif 000004
【図３】
0003123662.tif 000005
【手続補正書】
【提出日】平成18年5月16日(2006.5.16)
【手続補正１】
【補正対象書類名】実用新案登録請求の範囲
【補正対象項目名】請求項２
【補正方法】変更
【補正の内容】
【請求項２】
請求項１記載の通気孔を備えた画像センサーモジュールにおいて、シールボンドはＵＶボンドまたはその他シールボンド部材を使用することを特徴とする通気孔を備えた画像センサーモジュール。 
【手続補正２】
【補正対象書類名】明細書
【補正対象項目名】０００７
【補正方法】変更
【補正の内容】
【０００７】
請求項１の考案は、一種通気孔を備えた画像センサーモジュールであり、基板、チップ、複数本の導線、接着剤、レンズ台、レンズスリーブ及びシールボンドを含み、
基板に上表面と下表面を設け、上表面に第１電極を設け、下表面に第２電極を設けて、第１電極と対応および連結し、
チップは基板の上表面に設け、その上部に検出区域と複数のボンディングパッドを設け、
複数本の導線はチップのボンディングパッドを介して、基板に備える第１電極と電気接続し、
接着剤は基板の上表面に塗布し、
レンズ台に肩部、側壁と雌ネジ山を設け、レンズ台の側壁は接着剤により基板の上表面に接着し、その肩部に通気孔を貫通して設け、
レンズスリーブに備える雄ネジ山をレンズ台の雌ネジ山に締め付け、
シールボンドは通気孔を塞いでおくことを特徴とする通気孔を備えた画像センサーモジュールとしている。
請求項２の考案は、請求項１記載の通気孔を備えた画像センサーモジュールにおいて、シールボンドはＵＶボンドまたはその他シールボンド部材を使用することを特徴とする通気孔を備えた画像センサーモジュールとしている。
請求項３の考案は、請求項１記載の通気孔を備えた画像センサーモジュールにおいて、レンズ台の側壁を切り込み、レンズ台の基板上に接着することを特徴とする通気孔を備えた画像センサーモジュールとしている。